(57)【特許請求の範囲】
【請求項１】
基地局無線機と、該基地局無線機と信号線を介して接続される制御局とを含み、該制御局から前記基地局無線機を介して移動局無線機と無線通信を行う業務用通信システムにおいて、
前記制御局から前記基地局無線機を遠隔制御する遠隔制御方式であって、
上記制御局と基地局無線機の間に、送受信信号の伝送帯域を切り替える帯域切替手段と、
その切り替えを制御する切替制御手段とを具備し、
上記帯域切替手段は、通過帯域を切り替えせしめるフィルタを含み、
上記切替制御手段は、音声伝送とデータ伝送の種別を示す所定の信号を発生する発生部と、該所定の信号を検出する検出部を有し、
該検出部で検出した信号の種別に応じて、音声若しくはデータの伝送を行い、
音声を伝送するときは、所要の音声帯域のうち一部の帯域を制御信号の伝送に割り当てると共にその他の帯域を音声伝送に割り当てるように上記フィルタの通過帯域が設定されて音声の伝送を行い、
データを伝送するときは、上記所要の音声帯域の全帯域をデータ伝送に割り当てるように上記フィルタの通過帯域を切り替え制御し、且つ、データを伝送する旨のトレーニング動作を完了して当該データの伝送を行う、
ことを特徴とする業務用通信システムにおける基地局無線機の遠隔制御方式。
【請求項２】
請求項１記載の基地局無線機の遠隔制御方式において、
上記制御信号は、制御局から基地局無線機若しくは移動局無線機に対する操作情報、または、移動局無線機若しくは基地局無線機から制御局に対する表示情報を含むことを特徴とする業務用通信システムにおける基地局無線機の遠隔制御方式。
【請求項３】
請求項１記載の基地局無線機の遠隔制御方式において、
上記信号線は、送受信各１組の音声伝送帯域を有する信号線から成る業務用通信システムにおける基地局無線機の遠隔制御方式。
【発明の詳細な説明】
【０００１】
【発明の属する技術分野】
本発明は、通信システムに係り、特に業務用無線機等に使用する無線機の遠隔制御方式に関するものである。
【０００２】
【従来の技術】
図２に従来の無線機の遠隔制御方式の一例を示す。図２において、１は通常のプレストーク方式の移動局無線機である。２は基地局側の無線機であり、遠方に設置された制御卓３から遠隔制御するものである。４は基地局無線機２と制御卓３の間を延長するため無線機側に設置される中継器である。５は基地局無線機２と制御卓３の間を延長するため制御卓側に設置される中継器である。６は基地局無線機２へ送信音声を入力するマイク、７は基地局無線機２の受信音声を出力するスピーカ、８は基地局無線機の送信を起動するプレススイッチ、９は基地局無線機の送信中を示す送信表示、１０は話中表示である。
また、１１はマイク６からの音声から周波数ｆ１以上の成分を除去するローパスフィルタである。１２は基地局２の受信音声から周波数ｆ１以上の成分を除去するローパスフィルタである。１３はプレススイッチ８が押されている間周波数ｆ２のトーンを発生するトーン発生器である。１４は基地局無線機２の送信中、周波数ｆ２のトーンを発生するトーン発生器である。１５は基地局無線機２が話中の期間、周波数ｆ３のトーンを発生するトーン発生器である。１６は制御卓３から送られてくる信号から周波数ｆ１以上の成分を除去するローパスフィルタである。１７は中継器４から送られてくる信号から周波数ｆ１以上の成分を除去するローパスフィルタである。１８は中継器５から送られてくる信号から周波数ｆ２のトーンを抽出するバンドパスフィルタである。１９は周波数ｆ２のトーンが入力している間、基地局無線機の２の送信を起動するトーン検出器である。
２０は中継器４から送られてくる信号から周波数ｆ２のトーンを抽出するバンドパスフィルタである。２１は中継器４から送られてくる信号から周波数ｆ３のトーンを抽出するバンドパスフィルタである。２２は周波数ｆ２のトーンが入力している間、制御卓３の送信表示９を点灯するトーン検出器である。２３は周波数ｆ３のトーンが入力している間、制御卓３の話中表示１０を点灯するトーン検出器である。２４〜２７は中継器４と中継器５の間の信号をバランス／アンバランス変換するトランスである。
【０００３】
以下、この従来例の動作について説明する。制御卓３から移動局１を呼ぶ場合には、ＰＴＴスイッチ８を押し、マイク６から音声を入力する。ＰＴＴスイッチ８が押されている間、トーン発生器１３は周波数ｆ２のトーンを発生する。ＬＰＦ１１のカットオフ周波数ｆ１は、マイク６からの音声とトーンｆ２が干渉しないように設定する。トーンｆ２とマイク６からの音声は、基地局無線機側の中継器４に送られる。
中継器４では、送られてきた音声からＬＰＦ１６によってトーンｆ２を除去して基地局無線機４の送信音声入力端子に入力する。またバンドパスフィルタ１８によってトーンｆ２を抽出して、トーン検出器１９に入力する。トーン検出器は、トーンｆ２を検出している間、基地局無線機の送信を起動する。
これにより、制御卓３のＰＴＴスイッチ８を押している間、基地局無線機２が送信する。また、マイク６から入力した音声は、ＬＰＦ１１とＬＰＦ１６のカットオフ周波数ｆ１より上の周波数成分がカットされて、基地局無線機２の送信音声入力端子に入力して送信される。尚、基地局無線機２の送信期間中は基地局無線機２から送信中信号が出力されるが、その間トーン発生器１４は、トーンｆ２を出力する。トーンｆ２は制御卓側の中継器５でＢＰＦ２０によって抽出され、トーン検出器２２を介して、制御卓３の送信表示９を点灯する。
【０００４】
次に、移動局１から基地局無線機２を呼ぶ場合の動作を説明する。ＬＰＦ１２により、基地局無線機２の受信音声の中から周波数ｆ１以下の成分が中継器５に送られる。ＬＰＦ１２のカットオフ周波数ｆ１は、トーン発生器１４と１５から出力されるトーンｆ２及びｆ３と音声が干渉しないように、十分低く設定する。
基地局無線機２の基信中は、基地局無線機２から話中信号が出力され、この間トーン発生器１５は周波数ｆ３のトーンを発生し、中継局５に送られる。
中継器５では送られてきた信号からＬＰＦ１７によってトーンｆ３を除去してスピーカ７に出力する。また、バンドパスフィルタ２１によりトーンｆ３を抽出して、トーン検出器２３に出力する。トーン検出器２３はトーンｆ３が入力している間、話中表示１０を点灯する。
以上説明したように、従来技術では、音声帯域を音声信号の送受信に使用するｆ１以下の周波数帯域と、制御信号の送受信に使用するｆ１以上の周波数帯域にわけて、周波数ｆ１以上の帯域の中に割り当てたトーン信号により、制御信号を伝送している。これによって、送受信各１ペアの音声信号伝送用の信号線を介して、制御卓から無線機を遠隔制御している。
【０００５】
【発明が解決しようとする課題】
近年の無線機の利用方法として、音声の周波数帯域を用いて音声の代わりにデータの送受を行うことがあるが、前述の従来技術では、制御信号を音声帯域内のトーン信号に変換して送受信するために、本来の音声帯域の一部を削って音声の送受信を行っている。このため、音声の代わりにデータを送ろうとすると、データの伝送速度によっては、帯域幅が狭いために伝送できないことがある。
例えば、４８００ｂｐｓのｆａｘデータを無線で送る場合、６００Ｈｚ〜３ｋＨｚの帯域が必要であるが、従来技術では周波数ｆ１以上（通常ｆ１は２８００Ｈｚ程度に設定する）の音声帯域をカットしているため送ることができない。
【０００６】
【課題を解決するための手段】
本発明は、上記の課題を解決するため、制御局と無線機間に、送受信信号の伝送帯域を切り替える帯域切替手段と、その切り替えを制御する切替制御手段とを備え、該切替制御手段により、音声を伝送する場合には、従来どおりに音声帯域の一部を削って（音声帯域中、所定の帯域を使用して）制御信号を伝送し、データを伝送する場合には、全帯域を割り当ててデータを伝送するように切替制御するものである。
その結果、データを伝送する場合には、全音声帯域を用いることにより、通常の無線機と同様にデータ伝送が可能となる。
【０００７】
【発明の実施の形態】
図１を用いて本発明の一実施例を説明する。本実施例は、移動局と制御卓側に設定したＦＡＸの間で伝送を行うものである。図１中、１は通常のプレストーク方式の移動局無線機である。２は基地局側の無線機であり、遠方に設置された制御卓３から遠隔制御するものである。６は基地局無線機２の送信音声を入力するマイク、７は基地局無線機２の受信音声を出力するスピーカ、８は基地局無線機の送信を起動するプレススイッチ、９は基地局無線機の送信表示、１０は話中表示である。
１１はマイク６から送の音声から周波数ｆ１以上の成分を除去するローパスフィルタである。１２は基地局２の受信音声から周波数ｆ１以上の成分を除去するローパスフィルタである。１３はプレススイッチ８が押されている間、周波数ｆ２のトーンを発生するトーン発生器である。１４は基地局無線機２の送信表示が点灯中、周波数ｆ２のトーンを発生するトーン発生器である。１５は基地局無線機２が話中の間、周波数ｆ３のトーンを発生するトーン発生器である。
１６は中継器３１から送られてくる信号から周波数ｆ１以上の成分を除去するローパスフィルタである。１７は中継器３０から送られてくる信号から周波数ｆ１以上の成分を除去するローパスフィルタである。１８は中継器３１から送られてくる信号から周波数ｆ２のトーンを抽出するバンドパスフィルタである。１９は周波数ｆ２のトーンが入力している間、基地局無線機の２の送信を起動するトーン検出器である。
２０は中継器３０から送られてくる信号から周波数ｆ２のトーンを抽出するバンドパスフィルタである。２１は中継器３０から送られてくる信号から周波数ｆ３のトーンを抽出するバンドパスフィルタである。２２は周波数ｆ２のトーンが入力している間、制御卓３の話中表示１０を点灯するトーン検出器である。２３は周波数ｆ３のトーンが入力している間、制御卓３の送話表示９を点灯するトーン検出器である。２４〜２７は中継器３０と中継器３１の間の信号をバランス／アンバランス変換するトランスである。
【０００８】
３０は基地局無線機２と制御卓３の間を延長するために無線機側に設置する中継器である。３１は基地局無線機２と制御卓３の間を延長するために制御卓側に設置する中継器である。３２はＬＰＦ１６への入力信号をオン／オフするスイッチ、３３はＶＯＸ４７への入力信号をオン／オフするスイッチ、３４はバンドパスフィルタ１８への入力信号をオン／オフするスイッチ、３５は基地局無線機２の変調入力をオン／オフするスイッチである。
３６は周波数ｆ４を検出するトーン検出器、３７はトーン検出器３６の出力によりセット／リセットされるフリップフロップ、３８は通常モードとｆａｘ伝送モードで中継器３１に出力する信号を切り替えるスイッチ、３９は基地局２の受信したＤＴＭＦ信号の検出および、ｆａｘインタフェース４３に対するＤＴＭＦ信号の発生を行う。
また、４０は通常モードとｆａｘ伝送モードで中継器３０に出力する信号を切り替えるスイッチ、４１はｆａｘモードと通常モードの切換時に一定幅のパルスを発生するパルス発生器、４２はパルスの入力期間中に周波数ｆ４のトーンを発生するトーン発生器である。４３は基地局側のｆａｘインタフェース装置、４４は移動局側のｆａｘインタフェース装置である。４５は基地局側のｆａｘ、４６は移動局側のｆａｘである。４７は中継器３１からのｆａｘデータにより基地局無線機２の送信を起動するＶＯＸである。４８はｆａｘの相手局番号を入力するためのテンキースイッチ、４９は入力した相手局番号に対応したＤＴＭＦ信号の発生器、５０はｆａｘモードと通常モードの切換スイッチ、５１はＤＴＭＦ発生器３９から送られてくるＤＴＭＦ信号の検出器である。
さらに、５２はｆａｘ４６のＦＡＸインスイッチ、５３はｆａｘ４５のｆａｘインスイッチ、５４と５５はｆａｘ４５の送受信データをバランス／アンバランス変換するトランスである。５６はｆａｘ４５の送信スイッチ、５７はｆａｘ４６の送信スイッチ、５８はｆａｘの相手局番号を入力するテンキースイッチ、５９は入力した相手局番号に対応したＤＴＭＦ信号の発生器、６０はｆａｘデータまたはＤＴＭＦ信号により移動局無線機１の送信を起動するＶＯＸ、６１は移動局１の受信したＤＴＭＦ信号を設定されている番号と照合するＤＴＭＦ検出器、６２と６３はｆａｘ４６の送受信データをバランス／アンバランス変換するトランスである。
【０００９】
以下、本実施例の動作説明を行う。
（１）通常の無線機の遠隔制御（音声伝送）を行う場合
音声伝送時を含み、通常時は、スイッチ３２と３４はオン、スイッチ３３と３５はオフ、スイッチ３８と４０はａ側である。この場合は、先に説明した従来技術と同様に、制御卓３から基地局無線機２の遠隔制御を行う。
すなわち、音声帯域を、音声信号の送受信に使用するｆ１（例えば２８００Ｈｚ）以下の周波数帯域と、制御信号の送受信に使用するｆ１以上の周波数帯域に分離し、ｆ１以下の帯域で音声を伝送すると共に、ｆ１以上の帯域で、トーン信号等を用いて制御信号を伝送する。これによって、制御卓３から基地局無線機２の遠隔制御を行いつつ、音声通信（通話）を行うことができる。
【００１０】
（２）基地局側から移動局１にｆａｘ送信する場合
図３を用いて説明する。ｆａｘインタフェース４３のｆａｘモードスイッチ５０をオンにする。これにより、中継器３１の中のスイッチ４０をｂ側に切り替える。また、一定時間パルス発生器４１によりパルスを発生する。トーン発生器４２はパルス発生器４１からのパルス有りの間、周波数ｆ４のトーンを出力する。中継器３０ではトーン検出器３６によりトーンｆ４を検出し、フリップフロップ３７をセットする。フリップフロップ３７がセットされている間、スイッチ３２と３４はオフとなり、スイッチ３３と３５がオンになる。
次に、テンキー４８から移動局１のＦＡＸ番号（例えば＃２０）を入力する。入力した番号に対応するＤＴＭＦ信号が中継器３０に入力すると、ＶＯＸ４７により基地局無線機２の送信を起動する。また、ＤＴＭＦ信号は基地局無線機２の変調入力端子に入力する。これにより移動局１のＦＡＸ番号が送信される。
移動局側のＦＡＸインタフェース４４のＤＴＭＦ検出器６１は、設定されている自局番号と受信した番号が一致すると、ＦＡＸの入力部のＦＡＸインスイッチ５２をオンする。これにより移動局のＦＡＸ４６はトレーニングを開始する。トレーニング終了後、基地側のＦＡＸ４５の送信スイッチ５６が押されるとＦＡＸ４５の送信端子から送信データが出力される。データは中継器３１と３０を介して基地局無線機２の変調入力端子に入力し、送信される。基地局無線機２の送信は、ＶＯＸ４７にＦＡＸ４５からのデータが入力することにより起動される。
ＦＡＸデータの送信が完了したら、ＦＡＸモードスイッチ５０を解除し、中継器３１のなかのスイッチ４０をａ側に戻す。また、スイッチ５０の切り替わりでパルス発生器４１により一定幅のパルスを発生し、トーン発生器４２によりトーンに変換して中継器３０に出力する。中継器３０内部のトーン検出器３６の出力により、フリップフロップ３７をリセットする。これによりＳＷ３２と３４がオンになりＳＷ３３と３５がオフになる。
【００１１】
（３）移動局１から基地局に対してＦＡＸ送信する場合の動作
図４を用いて説明する。ＦＡＸインタフェース４４のテンキースイッチ５８で基地局の番号を入力する。入力した番号はＤＴＭＦ発生器５９によりＤＴＭＦ信号に変換されて、移動局無線機１の変調入力端子に入力する。同時にＶＯＸ６０に入力し、移動局無線機１の送信を起動する。基地局無線機２が受信したデータは、中継器３０のＤＴＭＦ発生／検出器３９に入力し、設定されている番号（例えば＃１０）と一致すれば、ＳＷ３８をｂ側に切り替える。次にＤＴＭＦ発生／検出器３９は制御卓側のＦＡＸインタフェース４３の呼び出し番号（例えば＃３０）を出力する。
ＦＡＸインタフェース４３内のＤＴＭＦ検出器５１は入力した番号と設定されている番号が一致すると、中継器３１内部のＳＷ４０をｂ側に切り替える。また、ＦＡＸ４５のＦＡＸインスイッチ５３をオンする。これにより移動局ＦＡＸ４６と制御卓側ＦＡＸ４５の間のトレーニングが開始する。トレーニングを完了し、移動局側のＦＡＸ４６で送信スイッチ５７が押されると、データの送信が開始する。データの送信が完了したら、移動局のテンキー５８から終話コードを入力する。基地局無線機２がこれを受信すると、ＤＴＭＦ発生／検出部３９はＳＷ３８をａ側に戻す。またＦＡＸインタフェース４３に対して終話コードを出力する。ＤＴＭＦ検出部５１は終話コードを検出すると、中継器３１内部のＳＷ４０をａ側に戻す。
以上説明した動作により、通常は従来技術と同様に、音声帯域の一部を制御信号の送受に使用して無線機の遠隔制御を行い、ＦＡＸ等のデータ伝送を行う場合は、全音声帯域をデータの送受信に使用する。
【００１２】
【発明の効果】
以上説明したように本発明によれば、無線機と、その無線機と送受信各１組の音声信号の伝送帯域を持つ信号線で接続される制御卓を含み、その制御卓から無線機の遠隔制御を行う通信システムにおいて、制御卓から遠隔制御で伝送帯域を切り替えられるように構成することによって、良好なデータ伝送と音声伝送とを実現することができる。
【図面の簡単な説明】
【図１】本発明の一実施例を示すブロック図。
【図２】従来の無線機の遠隔制御方式の一例を示すブロック図。
【図３】本発明の実施例の動作の一例を示す図。
【図４】本発明の実施例の動作の他の例を示す図。
【符号の説明】
１：プレストーク方式の移動局無線機、２：基地局側の無線機、
３：無線機の制御卓、
４：基地局無線機２と制御卓３の間を延長するため無線機側に設置する中継器、
５：基地局無線機２と制御卓３の間を延長するため制御卓側に設置する中継器、
６：マイク、７：スピーカ、８：基地局無線機の送信起動スイッチ、
９：基地局無線機の送信表示、１０：話中表示、
１１，１２：カットオフ周波数ｆ１のローパスフィルタ、
１３：プレススイッチ８が押されている間、周波数ｆ２のトーンを発生するトーン発生器、
１４：基地局無線機２の送信表示が点灯中、周波数ｆ２のトーンを発生するトーン発生器、
１５：基地局無線機２が話中の期間、周波数ｆ３のトーンを発生するトーン発生器、
１６，１７：カットオフ周波数ｆ１のローパスフィルタ、
１８：中継器３１から送られてくる信号から周波数ｆ２のトーンを抽出するためのバンドパスフィルタ、
１９：周波数ｆ２のトーンが入力している間、基地局無線機の２の送信を起動するトーン検出器、
２０：中継器３０から送られてくる信号から周波数ｆ２のトーンを抽出するためのバンドパスフィルタ、
２１：中継器３０から送られている信号から周波数ｆ３のトーンを抽出するためのバンドパスフィルタ、
２２：周波数ｆ２のトーンが入力している間、制御卓３の話中表示１０を点灯するトーン検出器、
２３：周波数ｆ３のトーンが入力している間、制御卓３の送信表示９を点灯するトーン検出器、
２４〜２７：中継器３０と中継器３１の間の信号をバランス／アンバランス変換するためのトランス、
３０：基地局無線機２と制御卓３の間を延長するために無線機側に設置される中継器、
３１：基地局無線機２と制御卓３の間を延長するために制御卓側に設置される中継器、
３２：ＬＰＦ１６への入力信号をオン／オフするスイッチ、
３３：ＶＯＸ４７への入力信号をオン／オフするスイッチ、
３４：バンドパスフィルタ１８への入力信号をオン／オフするためのスイッチ、
３５：基地局無線機２の変調入力をオン／オフするスイッチ、
３６：周波数ｆ４を検出するトーン検出器、
３７：トーン検出器３６出力によりセット／リセットされるフリップフロップ、
３８：通常モードとｆａｘ伝送モードで中継器３１に出力する信号を切り替えるスイッチ、
３９：基地局２の受信したＤＴＭＦ信号の検出および、ｆａｘインタフェース４３に対するＤＴＭＦ信号の発生器、
４０：通常モードとｆａｘ伝送モードで中継器３０に出力する信号を切り替えるスイッチ、
４１：ｆａｘモードと通常モードの切換時に一定幅のパルスを発生するパルス発生器、
４２：パルスの入力期間中に周波数ｆ４のトーンを発生するトーン発生器、
４３：基地局側のｆａｘインタフェース装置、４５：基地局側のｆａｘ、
４４：移動局側のｆａｘインタフェース装置、４６：移動局側のｆａｘ、
４７：中継器３１からのｆａｘデータにより基地局無線機２の送信を起動するＶＯＸ、
４８：ｆａｘの相手局番号を入力するためのテンキースイッチ、
４９：入力した相手局番号に対応したＤＴＭＦ信号の発生器、
５０：ｆａｘモードと通常モードの切換スイッチ、
５１：ＤＴＭＦ発生器３９から送られてくるＤＴＭＦ信号の検出器、
５２：ｆａｘ４６のＦＡＸインスイッチ、
５３：ｆａｘ４５のｆａｘインスイッチ、
５４，５５：ｆａｘ４５の送受信データをバランス／アンバランス変換するためのトランス、
５６：ｆａｘ４５の送信スイッチ、５７：ｆａｘ４６の送信スイッチ、
５８：ｆａｘの相手局番号を入力するためのテンキースイッチ、
５９：入力した相手局番号に対応したＤＴＭＦ信号の発生器、
６０：ｆａｘデータまたはＤＴＭＦ信号により移動局無線機１の送信を起動するＶＯＸ、
６１：移動局１の受信したＤＴＭＦ信号を設定されている番号と照合するＤＴＭＦ検出器、
６２，６３：ｆａｘ４６の送受信データをバランス／アンバランス変換するためのトランス。
【図１】
0003821581.tif 000002
【図２】
0003821581.tif 000003
【図３】
0003821581.tif 000004
【図４】
0003821581.tif 000005